(57)【要約】【課題】主管からスプリンクラーヘッドの設置箇所への配管作業が容易に行なえ、併せて停滞水が生ずるのを防止する水道直結型スプリンクラー設備を提供すること。【解決手段】給水配管２に介装された水道メータ４の二次側から分岐した主管１１の適宜箇所に複数のヘッダー１５を夫々接続し、前方のヘッダー１５に設けられた複数の接続口１７中の何れかと、所定箇所に設置されるスプリンクラーヘッド３０を備えた停滞水防止継手２０の入口とを樹脂管３１を用いて接続し、前方のヘッダーと後続のヘッダーとの間に複数の停滞水防止継手２０を直列に介装する場合には、前方の停滞水防止継手の出口と後続の停滞水防止継手の入口とを樹脂管を用いて順に接続する共に最後尾の停滞水防止継手の出口と後続のヘッダーに設けられた複数の接続口中の何れかを樹脂管を用いて接続するように設け、主管１１の末端又は最後尾のヘッダー１５に止水栓３５を設けた。【選択図】図１
2011030681.tif 000002
【特許請求の範囲】
【請求項１】
給水配管に介装された水道メータの二次側から分岐した主管の適宜箇所に複数のヘッダーを夫々接続し、前方のヘッダーに設けられた複数の接続口中の何れかと、所定箇所に設置されるスプリンクラーヘッドを備えた停滞水防止継手の入口とを樹脂管を用いて接続し、かつ、当該停滞水防止継手の出口と、後続のヘッダーに設けられた複数の接続口中の何れかを樹脂管を用いて接続し、同様に（ｎ）番目のヘッダーに設けられた複数の接続口中の何れかと、所定箇所に設置されるスプリンクラーヘッドを備えた他の停滞水防止継手の入口とを樹脂管を用いて接続し、かつ、当該停滞水防止継手の出口と、（ｎ＋１）番目のヘッダーに設けられた複数の接続口中の何れかを樹脂管を用いて接続し、
さらに、前方のヘッダーと後続のヘッダーとの間に複数の前記停滞水防止継手を直列に介装する場合には、前方の停滞水防止継手の出口と後続の停滞水防止継手の入口とを樹脂管を用いて順に接続する共に最後尾の停滞水防止継手の出口と後続のヘッダーに設けられた複数の接続口中の何れかを樹脂管を用いて接続するように設け、
前記主管の末端又は最後尾のヘッダーに止水栓を設けたことを特徴とする水道直結型スプリンクラー設備。
【請求項２】
前記前方のヘッダーと後続のヘッダーとの管路中に、中間ヘッダーを介装したことを特徴とする請求項１に記載の水道直結型スプリンクラー設備。
【発明の詳細な説明】
【技術分野】
【０００１】
本発明は、小規模の住宅、特定施設などにおいて施工される水道直結型スプリンクラー設備に関する。
【背景技術】
【０００２】
スプリンクラー設備は、建築物の屋内に設置したスプリンクラーヘッドから水を放散させることにより可燃物の火炎を消化するための設備であり、水源、加圧送水装置、配管、スプリンクラーヘッド、末端試験弁等から構成されるのが一般的である。
【０００３】
特許文献１には、給水配管に交差して設けた分岐管に、１つの流入口と複数の流出口を有するヘッダーを接続し、散水領域に設けられたスプリンクラーヘッドを備えた接続具と、ヘッダーとをポリエチレン管等の可撓管を用いて接続するようにしたスプリンクラー設備が開示されている。
【０００４】
因みに、特定施設水道連結型スプリンクラー設備については、消防法施行令の一部を改正する政令及び消防法施行規則の一部を改正する省令が平成１９年６月１９日に交付、平成２１年４月１日に施行され、その設置が認められた。特定施設水道連結型スプリンクラー設備のうちの水道法第３条第９項に規定する給水装置に直結する範囲である「水道直結型スプリンクラー設備」においては、空気又は水の停滞を防止するための措置を講じることに留意する旨の運用事項が定められている。この運用基準に照らし、主管から分岐された枝管からスプリンクラーヘッド部分までに満たされる水道水が循環せずに停滞して不衛生にならないように、配管中に停滞水防止機能を有する継ぎ手が使用される。
【０００５】
停滞水防止継手の一例として、特許文献２には、水平方向に配置した入水口と出水口の間にバッフル板を斜め下方向に垂設し、下部に穿設したスプリンクラーヘッド取付け部付近で出水口側通水路と交わる形状としたスプリンクラー継手が開示されている。
【０００６】
ところで、特許文献１のスプリンクラー設備では、可撓管の先端に接続された接続具にスプリンクラーヘッドを取り付けているが、可撓管に溜まった水が行き止まって停滞状態を生ずることから、水道直結型スプリンクラー設備の運用事項に適合しないと言えよう。
【０００７】
また、従来の一般的なスプリンクラー消火設備では、給水配管に介装された水道メータの二次側から分岐された主管（口径２５ｍｍ）を建築物の屋内に引き込み、主管から分岐した枝管（口径２０ｍｍ）の先端に、居間・食堂、居室、厨房、事務室、洗濯室等の箇所に設置されるスプリンクラーヘッドを接続する構成とされている。しかし、このような設備において、主管・枝管とも金属管を使用する配管作業は非常に手間が掛かって煩わしいことから、何らかの改善が望まれていた。
【先行技術文献】
【特許文献】
【０００８】
【特許文献１】特開平１０−１７９７８６号公報
【特許文献２】実用新案登録第３１５０４４４号公報
【発明の概要】
【発明が解決しようとする課題】
【０００９】
本発明の目的は、主管からスプリンクラーヘッドの設置箇所への配管作業が容易に行なえ、併せて停滞水が生ずるのを防止する水道直結型スプリンクラー設備を提供することにある。
【課題を解決するための手段】
【００１０】
前記目的を達成するために請求項１に記載した発明は、給水配管に介装された水道メータの二次側から分岐した主管の適宜箇所に複数のヘッダーを夫々接続し、前方のヘッダーに設けられた複数の接続口中の何れかと、所定箇所に設置されるスプリンクラーヘッドを備えた停滞水防止継手の入口とを樹脂管を用いて接続し、かつ、当該停滞水防止継手の出口と、後続のヘッダーに設けられた複数の接続口中の何れかを樹脂管を用いて接続し、同様に（ｎ）番目のヘッダーに設けられた複数の接続口中の何れかと、所定箇所に設置されるスプリンクラーヘッドを備えた他の停滞水防止継手の入口とを樹脂管を用いて接続し、かつ、当該停滞水防止継手の出口と、（ｎ＋１）番目のヘッダーに設けられた複数の接続口中の何れかを樹脂管を用いて接続し、
さらに、前方のヘッダーと後続のヘッダーとの間に複数の前記停滞水防止継手を直列に介装する場合には、前方の停滞水防止継手の出口と後続の停滞水防止継手の入口とを樹脂管を用いて順に接続すると共に最後尾の停滞水防止継手の出口と後続のヘッダーに設けられた複数の接続口中の何れかを樹脂管を用いて接続するように設け、
前記主管の末端又は最後尾のヘッダーに止水栓を設けたことを特徴とする。
【００１１】
同様の目的を達成するために請求項２に記載した発明は、請求項１に記載の水道直結型スプリンクラー設備において、前記前方のヘッダーと後続のヘッダーとの管路中に、中間ヘッダーを介装したことを特徴とするものである。
【発明の効果】
【００１２】
（請求項１の発明）
この水道直結型スプリンクラー設備は、主管から適宜箇所にヘッダーを接続し、ヘッダーと、スプリンクラーヘッドを備えた停滞水防止継手との間、停滞水防止継手同士を枝管としての樹脂管及び樹脂管用継手を用いて接続を施す構成としているので、配管作業が非常に行ない易い。加えて、樹脂管の先端に停滞水防止継手を接続する共に停滞水防止継手同士を接続する構成としているので、止水栓を開放することにより樹脂管に満たされる水は循環し排出されて停滞水の生ずることを防止することができる。
【００１３】
（請求項２の発明）
前方のヘッダーと後続のヘッダーとの管路中に中間ヘッダーを介装することにより、管路が複雑化しなく、配管作業や保守管理作業が行ない易い。
【図面の簡単な説明】
【００１４】
【図１】本発明に係る水道直結型スプリンクラー設備を特定施設に適用した平面図
【図２】ヘッダーの斜視図
【図３】停滞水防止継手の設置状態を示す説明図
【図４】主管とヘッダーとの配管の説明図
【発明を実施するための形態】
【００１５】
以下に、本発明の最良の形態例を図面に基づいて説明する。
【００１６】
本発明に係る水道直結型スプリンクラー設備を特定施設である「グループホームＨ」に適用した場合を例にして説明する。図１に示すグループホームＨにおいて、水道配管１から給水配管（口径２５ｍｍ）２が敷地内に引き込まれ、その給水配管２に止水栓３と水道メータ４が介装されている。水道メータ３の二次側には、飲料水や台所の生活用水に使用するための配管を施されるが、ここでは発明の要旨外であるので説明を省略する。本発明に係る水道直結型スプリンクラー設備のための金属製の主管（口径２５ｍｍ）１１は水道メータ３の二次側から分岐接続される。１２は主管１１に介装された止水栓である。
【００１７】
主管１１ａ〜１１ｃはグループホームＨの天井裏の所定箇所に分断した状態で配置され、主管１１ａ〜１１ｃの各端部にヘッダー１５が夫々接続されている。
【００１８】
ヘッダー１５は、図２に示すように、四角棒状の金属製ヘッダー本体１５ａの側面に主管１１を接続するための取付け穴（口径２５ｍｍ）１６を設け、ヘッダー本体１５ａの正面に複数の、ここでは４個の接続口１７を設けている。それら取付け穴１６、接続口１７には、図示しないネジが形成されている。
【００１９】
なお、この明細書において、前方のヘッダーとは、水道メータ３に近い側の上流のヘッダーを意味し、後続のヘッダーとは前方のヘッダーよりも水道メータ３から離れた下流側のヘッダーを意味するものとする。また、１番目のヘッダー、２番目のヘッダー、ｎ番目のヘッダーという場合、水道メータ３に近い側のヘッダーを若い番号とする。したがって、図１において、主管１１ａに接続したヘッダー１５は１番目のヘッダー、主管１１ｂに接続したヘッダー１５は２番目のヘッダー、主管１１ｃに接続したヘッダー１５は３番目のヘッダーとなる。
【００２０】
既に述べたように、この実施例においては、主管１１ａ〜１１ｃを数箇所に分断した状態で設けているが、これに限らず、図４に示すように、止水栓１２から連続状に配管した主管１１の途中からＴ字形継手１３で分岐した金属製の枝管（口径２５ｍｍ）１４の先端にヘッダー１５を設けることもできる。また、前方のヘッダー１５と後続のヘッダー１５との管路中に中間ヘッダー１５´を介装することもできる。
【００２１】
グループホームＨの居室、厨房、食堂等には、図１に○印で表したスプリンクラーヘッド３０が適宜設置されている。スプリンクラーヘッド３０は、停滞水防止継手２０に夫々備えられている。
【００２２】
図３に示すように、停滞水防止継手２０は、ほぼＹ字形の形態とされていて、左右の端部２０ａに設けたネジ穴（図示せず）の何れか一方を入口２１とし他方を出口２２とし、中央下方部２０ｂのネジ穴（図示せず）に公知のスプリンクラーヘッド３０がねじ込まれて取り付けられている。停滞水防止継手２０は、天井２７の裏側に設けられた添え木等の支持部材２８に固定金具２９を用いて固定を施される。
【００２３】
前方のヘッダー１５と後続のヘッダー１５との間には、複数の停滞水防止継手２０が架橋ポリエチレン管・塩化ビニール樹脂管等の樹脂管３１を用いて直列に介装されている。なお、樹脂管３１は、主管１１に対して枝管と称される。
【００２４】
具体的には、前方の停滞水防止継手２０の出口２２と後続の停滞水防止継手２０の入口２１とを、公知の樹脂管用継手３２と樹脂管３１を用いて順番に接続し、最後尾の停滞水防止継手２０の出口２２と後続のヘッダー１５の接続口１７とを、樹脂管用継手３２と樹脂管３１を用いて接続する。
【００２５】
この実施例では、最後尾のヘッダー１５をトイレｗｃに設置し、そのヘッダー１５に水栓３５を設けている。この水栓３５については、主管１１や樹脂管３１に満たされた水道水が循環せずに停滞して不衛生になることを防止するために、水栓３５を適宜開放して水をトイレに排出させるようにしている。なお、水栓の設置する箇所については、トイレに限られず、洗濯室等であってもよい。
以上により、本発明に係る水道直結型スプリンクラー設備が構成される。
【００２６】
つぎに、本発明に係る水道直結型スプリンクラー設備の作動について説明する。
止水栓１２は常に開放された状態とし、主管１１ａ〜１１ｃ、ヘッダー１５から樹脂管３１までの全体の管路に常に水を充満させた状態としておく。しかして、グループホームＨの居室、厨房等で火災が発生して火炎の熱でスプリンクラーヘッド３０の可溶合金が溶けると、瞬時にスプリンクラーヘッド３０から水が放出されて消化動作が開始される。
【００２７】
以上、本発明に係る水道直結型スプリンクラー設備は、主管から適宜箇所にヘッダーを接続し、ヘッダーと、スプリンクラーヘッドを備えた停滞水防止継手との間、停滞水防止継手同士を樹脂管及び樹脂管用継手を用いて接続を施す構成としているので、配管作業が容易となる。加えて、停滞水防止継手により停滞水が生ずるのを防止することができる。
【符号の説明】
【００２８】
２・・・給水配管
４・・・水道メータ
１１，１１ａ〜１１ｃ・・・主管
１５・・・ヘッダー
１５´・・・中間ヘッダー
１７・・・接続口
２０・・・停滞水防止継手
３０・・・スプリンクラーヘッド
３１・・・樹脂管
３５・・・止水栓
【図１】
2011030681.tif 000003
【図２】
2011030681.tif 000004
【図３】
2011030681.tif 000005
【図４】
2011030681.tif 000006